(57)【要約】      （修正有）【課題】回転板が水平に回転することによって、筺体の天板の上に設けられた回転板が傾くことや、回転板の上に設けられた載せ台及び設置物が傾くことを防ぐことができるターンテーブルを提供する。【解決手段】ターンテーブル１は、駆動部が収納され、駆動部の回転軸が通る貫通孔を備えた天板３１を有する筐体３０と、天板３１に間隔Ａをおいて載置され、かつ回転軸に設けられた回転板２０と、回転板２０に載置された載せ台１０と、間隔Ａを確保しつつ、回転板２０の水平位置、及び／又は、回転を担持する回転板支持部４０と、を備える。これにより、回転板２０が水平に回転する。【選択図】図２
0003192012.tif 000002
【実用新案登録請求の範囲】
【請求項１】
駆動手段が収納され、この駆動手段の回転軸が通る孔を備えた天板を有する筐体と、
この天板に間隔をおいて載置され、かつ前記回転軸に設けられた回転板と、
この回転板に載置された載せ台と、
前記間隔を確保しつつ、前記回転板の水平位置、及び/又は、回転を担持する支持手段と、
を備えることを特徴とするターンテーブル。
【請求項２】
前記支持手段は、前記回転板に接触し、前記天板に配備されたキャスター、ボール、又はリングからなることを特徴とする請求項１に記載のターンテーブル。
【請求項３】
前記支持手段は、前記回転板に点接触していることを特徴とする請求項１又は２に記載のターンテーブル。
【請求項４】
前記支持手段は、前記回転板に接触した状態で転動する転動部材を有することを特徴とする請求項１乃至３のいずれか一項に記載のターンテーブル。
【請求項５】
前記転動部材は、車輪であり、
この車輪は、キャスター枠に軸支され、かつこのキャスター枠は、前記天板に立設した軸に回転可能に支持される、
ことを特徴とする請求項４に記載のターンテーブル。
【請求項６】
前記転動部材は、ボールであり、
このボールは、前記天板に設けたボール受けに収容される、
ことを特徴とする請求項４に記載のターンテーブル。
【考案の詳細な説明】
【技術分野】
【０００１】
本考案は、ターンテーブルに関する。
【背景技術】
【０００２】
ターンテーブルは、商品の展示等の用途に利用されている。例えば、ターンテーブルの載せ台に、商品等の設置物を載せる場合や、載せ台から設置物を下ろす場合等で、手が載せ台に接触することが問題視されている。これを解決するために、特許文献１及び特許文献２に示される構造のターンテーブルがある。
【０００３】
特許文献１に記載のターンテーブルは、回転板と載せ台との間に、内外レースと、この内外レースに設けた球体とで構成し、載せ台に手が接触した場合、又は、載せ台に抵抗が掛かった場合には、載せ台が停止又は低速回転することを特徴とする。これにより、接触事故防止と、併せて安全性の確保とを図ることができる。特許文献２に記載のターンテーブルは、特許文献１のターンテーブルと類似した構造であって、モータが載せ台とともに連れ回りすることを防止することができる。従って、特許文献２に記載のターンテーブルは、特許文献１に記載のターンテーブルと同様に、接触事故防止と、併せて安全性の確保とを図ることができる。
【０００４】
特許文献１及び特許文献２に記載のターンテーブルは、接触事故防止と、併せて安全性の確保とを図ることができる。しかしながら、特許文献１及び特許文献２に記載のターンテーブルの構造では、筐体の天板の上に設けられた回転板が傾くことや、回転板の上に設けられた載せ台及び設置物が傾くことを防ぐことができない。これにより、載せ台及び設置物が乱れたり、落下する等のおそれがあった。
【先行技術文献】
【特許文献】
【０００５】
【特許文献１】特開２０１２−２２３４５０号公報
【特許文献２】特開平１０−５０８５号公報
【考案の概要】
【考案が解決しようとする課題】
【０００６】
本考案は、上記の問題点を解決するためになされたもので、回転板が水平に回転するターンテーブルを提供する。
【課題を解決するための手段】
【０００７】
請求項１に係る考案は、駆動手段が収納され、この駆動手段の回転軸が通る孔を備えた天板を有する筐体と、この天板に間隔をおいて載置され、かつ前記回転軸に設けられた回転板と、この回転板に載置された載せ台と、前記間隔を確保しつつ、前記回転板の水平位置、及び/又は、回転を担持する支持手段とを備えることを特徴とするターンテーブルである。これにより、回転板は水平に回転することができる。このため、前述した課題を解決することができる。
【０００８】
請求項２に係る考案において、前記支持手段は、前記回転板に接触し、前記天板に配備されたキャスター、ボール、又はリングからなることを特徴とする。これにより、複数の構造によって、回転板は水平に回転することができる。
【０００９】
請求項３に係る考案において、前記支持手段は、前記回転板に点接触していることを特徴とする。これにより、回転板は、少ない抵抗で、水平に回転することができる。
【００１０】
請求項４に係る考案において、前記支持手段は、前記回転板に接触した状態で転動する転動部材を有することを特徴とする。これにより、回転板は、少ない抵抗で、水平に回転することができる。
【００１１】
請求項５に係る考案において、前記転動部材は、車輪であり、この車輪は、キャスター枠に軸支され、かつこのキャスター枠は、前記天板に立設した軸に回転可能に支持される、ことを特徴とする。これにより、回転板は、少ない抵抗で、水平に回転することができる。また、キャスターは低価格であるので、ターンテーブルにかかるコストを抑制することができる。
【００１２】
請求項６に係る考案において、前記転動部材は、ボールであり、このボールは、前記天板に設けたボール受けに収容される、ことを特徴とする。これにより、回転板は、少ない抵抗で、水平に回転することができる。
【考案の効果】
【００１３】
本考案のターンテーブルは、筐体の天板の上に設けられた回転板が傾くことや、回転板の上に設けられた載せ台及び設置物が傾くことを防ぐことができる。
【図面の簡単な説明】
【００１４】
【図１】本考案の実施形態１に係るターンテーブルの斜視図である。
【図２】本考案の実施形態１に係るターンテーブルから載せ台を外した状態の斜視図である。
【図３】本考案の実施形態１に係るターンテーブルの図２のＡ−Ａ矢視における断面図である。
【図４】本考案の実施形態１に係る駆動部の組立斜視図である。
【図５】本考案の実施形態１に係る回転板支持部の斜視図である。
【図６】本考案の実施形態１に係るターンテーブルが回転する様子を示す斜視図である。
【図７】本考案の実施形態１に係る載せ台が掴まれた際の様子を示す斜視図である。
【図８】本考案の実施形態２に係るターンテーブルの斜視図である。
【図９】本考案の実施形態２に係る回転板支持部の斜視図である。
【図１０】本考案の変形例に係るターンテーブルの斜視図である。
【考案を実施するための形態】
【００１５】
以下、本考案の実施形態に係るターンテーブルについて説明する。説明には、相互に直交するＸ軸、Ｙ軸、Ｚ軸からなるＸＹＺ座標系を用いる。本実施形態では、Ｘ軸とＹ軸に平行なＸＹ平面は水平面であり、Ｚ軸は鉛直軸に平行な軸である。
【００１６】
実施の形態１．
ターンテーブル１は、図１及び図２に示すように、筐体３０と、この筐体３０の天板３１に、間隔Ａをおいて設置される回転板２０と、この回転板２０に設置される載せ台１０と、前記間隔Ａに配備される（天板３１に固止した）回転板支持部４０と、筐体３０の側板に取り付けられた操作部５０と、を備える。また、ターンテーブル１は、図３に示すように、筐体３０に内設された駆動部６０を備える。駆動部６０は、筐体３０の天板の下部に取り付けられている。
【００１７】
筐体３０は、直方体状の中空の部材で、その上部の中心に形成した開口部を、塞ぐための天板３１を有する。図示は省略するが、天板３１は、筐体３０の上部の内鍔に、Ｚ軸方向のネジ止めにより取り付けられている。図４に示すように、天板３１の中心部には、円柱状の貫通孔３２が形成されている。
【００１８】
操作部５０は、筐体３０の−Ｙ側の側板の外側に取り付けられている。操作部５０の操作ダイアルを回転することによって、駆動部６０の電源ＯＮ／ＯＦＦ、回転板２０の回転速度及び回転板２０の回転方向を制御する。
【００１９】
回転板支持部４０は、３基のキャスターであり、天板３１の上面にそれぞれ取り付けられている。回転板支持部４０は、図５に示すように、ネジ４３によって天板３１に固定される固定板４４と、この固定板４４に回転自在に設けられた回転機構４２と、回転機構４２に設けられた車輪受け４５と、この車輪受け４５に軸止された車輪４１とを有する、汎用品である。
【００２０】
図２に示すように、回転板２０は、樹脂製でなる円板で、中心部には、四隅が曲面となった概ね四角形の開口部となる係合穴２２が形成されている。回転板２０の直径は、天板３１の一辺よりも一回り小さい。回転板２０の下面は、回転板支持部４０に、点接触で接することで、水平方向に支持されている。
【００２１】
駆動部６０は、モータである。図４に示すように、駆動部６０は、天板３１の貫通孔３２を通って＋Ｚ側に向かって突出する回転軸６１と、回転軸６１の先端部に取り付けられた回転駒６２と、ＡＣコンセントの電力を駆動部６０に供給するための電源ケーブル６３と、回転駒６２と天板３１の間で回転軸６１の周りに取り付けられた環状部材６４と、を有する。回転駒６２は、Ｚ軸方向に延びる貫通孔６２ａが形成された環状部材６２ｄと、環状部材６２ｄの上部の周りに固定されている樹脂製のフランジ６２ｅと、を有する。
【００２２】
回転軸６１の周りには、回転板支持部４０が等間隔に配置されている。それぞれの回転板支持部４０は、均一に分散した負荷を受ける。複数の回転板支持部４０のうち１つだけが回転板２０からの荷重を過剰に受けることがないため、回転板支持部４０は故障しにくくなる。
【００２３】
フランジ６２ｅは、環状部材６２ｄに鋳込み鋳造で形成されており、直方体状の部材である。フランジ６２ｅの上面及び下面は、係合穴２２の開口部よりもやや小さい概ね四角形である。
【００２４】
回転駒６２は、フランジ６２ｅの外周と係合穴２２の内周とが係合することによって、回転板２０に嵌め込まれている。回転駒６２が回転すると、回転駒６２と回転板２０とが同一の回転速度で回転する。また、回転板２０と回転駒６２は、鉛直方向に固定されていないため、回転板２０は回転駒６２に対して鉛直方向に移動自由となっている。回転板支持部４０が受ける回転板２０の荷重は、回転駒６２にはかからない。このため、回転駒６２を介して回転軸６１にかかる負荷は軽減されるため、駆動部６０が故障しにくくなる。
【００２５】
回転軸６１の直径は、環状部材６２ｄの貫通孔６２ａの直径よりもやや小さい。回転軸６１は、貫通孔６２ａに挿入されている。環状部材６２ｄの軸方向には、外周面から−Ｙ側に向かって貫通孔６２ａに貫通したネジ穴６２ｃが形成されている。ネジ６２ｂは、ネジ穴６２ｃを通って軸溝６１ａに係合することにより、環状部材６２ｄは回転軸６１に固定される。この固定により、例えば、回転駒６２の上面と天板３１の上面との距離を自由に決定することができる。
【００２６】
載せ台１０は、図２に示すように、円板である。載せ台１０の下面には、図３に示すように、環状のラジアルベアリングからなる回転力吸収部１２が取り付けられている。これにより、載せ台１０に所定以上の回転トルクがかかった場合、回転板２０に対して相対的に回転する。
【００２７】
ターンテーブル１の動作を図６及び図７を参照して詳細に説明する。
【００２８】
操作部５０の操作ダイアルの目盛りを所定の回転速度Ω１に合わせる。駆動部６０の回転軸６１が回転し、回転駒６２を介して回転板２０に伝達される。これにより、回転板２０は、回転速度Ω１で回転する。
【００２９】
回転板２０の回転に伴って、回転板支持部４０の車輪４１も同期して転動する。回転板支持部４０は、回転板２０の回転を妨げることなく、回転板２０を支持する。
【００３０】
回転板２０は、水平方向に回転するので、載置されている載せ台１０及び設置物２も同期し、水平方向に回転する。
【００３１】
設置物２の重量が所定の重量を下回り、さらに、載せ台本体部１１に外力がかからない限り、回転力吸収部１２は、所定以上の回転トルクを受けない。これにより、回転板２０が回転速度Ω１で回転すると、回転板２０の上に設置された載せ台本体部１１も一体として回転速度Ω１で回転する。設置物２は、載せ台本体部１１とともに、回転速度Ω１で回転する。
【００３２】
ここで、載せ台本体部１１が掴まれることによって載せ台本体部１１に外力が付与された場合、回転力吸収部１２は、所定以上の回転トルクを受ける。これにより、回転板２０が回転速度Ω１で回転する一方で、載せ台本体部１１は設置物２とともに、回転速度Ω１よりも小さな回転速度Ω２で回転する。
【００３３】
実施の形態２．
前記実施の形態１においては、回転板２０を支持する構成として、車輪４１を有するキャスターを例示したが、回転板２０の回転を妨げずに、回転板２０を水平に支持する部材であれば、その構成態様は任意である。以下、回転板２０を支持する構成として、ボールを有するキャスターを使用する実施の形態２について、図８及び図９を用いて説明する。なお、実施の形態１と同一又は同等の構成については、同一の符号を用い、説明を省略する。本実施形態に係るターンテーブル１Ｂは、回転板支持部４０に代わる回転板支持部７０を備えている点で、実施の形態１に係るターンテーブル１と相違している。
【００３４】
回転板支持部７０は、図８に示すように、４つのボールキャスターであり、天板３１の上面にそれぞれ取り付けられている。回転板支持部７０は、図９に示すように、ネジ７３によって天板３１に固定される固定板７４と、この固定板７４に設けられたナット７５と、ナット７５に係合するボルトを有するボール受け７２と、ボール受け７２に転動可能に支持されているボール７１とを有する、汎用品である。
【００３５】
回転板２０の下面は、回転板支持部７０に、点接触で接することで、水平方向に支持されている。回転軸６１の周りには、回転板支持部７０が等間隔に配置されている。それぞれの回転板支持部７０は、均一に分散した負荷を受ける。複数の回転板支持部７０のうち１つだけが回転板２０からの荷重を過剰に受けることがないため、回転板支持部７０は故障しにくくなる。
【００３６】
ボール７１は、ボール受け７２に支持されることによって、Ｘ軸回り、Ｙ軸回り、Ｚ軸回りのそれぞれに３６０°転動することができる。ボール受け７２の下部には、ボルトネジが突出している。当該ボルトネジは、ナット７５に挿入されることによって固定されている。ナット７５の下部は、固定板７４に固定されている。よって、回転板２０の回転に伴って、ボール７１は転動する。
【００３７】
回転板２０は、回転板支持部７０によって水平方向に支持されることにより、水平方向に回転する。回転板２０の上に設置されている載せ台１０及び設置物２も同様に、水平方向に回転する。
【００３８】
（変形例）
以上、本考案の実施形態１、２について説明したが、本考案は、上記実施形態１、２によって限定されるものではない。例えば、以下のように変形して実施することもできる。
【００３９】
上記実施形態１に係る回転板支持部４０は、車輪を有するキャスターであった。上記実施形態２に係る回転板支持部７０は、ボールを有するキャスターであった。ボールとボール受け台等のような転子、或いは易滑性のリング等も可能である。
【００４０】
上記実施形態に係る回転板支持部４０、７０の個数は限定されない。例えば、図１０に示すように、回転板支持部４０は４つであってもよい。
【００４１】
本考案は、本考案の広義の精神と範囲を逸脱することなく、様々な実施形態及び変形が可能とされるものである。上述した実施形態は、本考案を説明するためのものであり、本考案の範囲を限定するものではない。
【符号の説明】
【００４２】
１、１Ｂ  ターンテーブル
２  設置物
１０  載せ台
１２  回転力吸収部
１３  貫通孔
２０  回転板
２２  係合穴
３０  筐体
３１  天板
３２  貫通孔
４０  回転板支持部
４１  車輪
４２  回転機構
４３  ネジ
４４  固定板
５０  操作部
６０  駆動部
６１  回転軸
６１ａ  軸溝
６２  回転駒
６２ａ  貫通孔
６２ｂ  ネジ
６２ｃ  ネジ穴
６２ｄ  環状部材
６２ｅ  フランジ
６３  電源ケーブル
６４  環状部材
７０  回転板支持部
７１  ボール
７２  ボール受け
７３  ネジ
７４  固定板
７５  ナット
Ａ  間隔
Ω１、Ω２  回転速度
【図１】
0003192012.tif 000003
【図２】
0003192012.tif 000004
【図３】
0003192012.tif 000005
【図４】
0003192012.tif 000006
【図５】
0003192012.tif 000007
【図６】
0003192012.tif 000008
【図７】
0003192012.tif 000009
【図８】
0003192012.tif 000010
【図９】
0003192012.tif 000011
【図１０】
0003192012.tif 000012